(57)【要約】【課題】電源供給などの連結ポートを安全に保護管理できるようにした、出勤管理機ケース構造を提供する。【解決手段】本発明に係る建設現場の資源統制管理システム用端末機ケースは構成ユニットの点検および取替え時に後方ケースから前方ケースを回動させて開放するタイプであり、内部に整理された該当構成ユニットが一目で確認でき、該当構成ユニットの取替えが容易である管理補修の利点があり、前方ケースに備えられる各構成モジュール側との電気的な連結は下部板の連結ポートに連結するものの、室外に設置される建設現場の資源統制管理システム用端末機は下部板からスカート部を設けるかケースの底部から所定の深さに固定ブラケットを設けて下部板を設置する形態であり、下部板側の連結ポートに設置される各種ケーブルは外部的な要素（雨と雪）に接続部位を保護できる効果を有する。【選択図】図２
2019036276.tif 000002
【特許請求の範囲】
【請求項１】
四角箱状のケース（１１０）に、出入り者の身上情報を把握できるディスプレイ部（１０１）、ＲＦＩＤ認識モジュール（１０２）、ＱＲ／ＢＡＲコード情報認識モジュール（１０２−１）、虹彩認識モジュール（１０３）、虹彩ＩＲモジュール（１０３ａ）、カメラモジュール（１０４）、認証およびエラーを表示する表示ランプ（１０５）、指紋認識モジュール（１０６）、および、音声出力部（１０７）の構成ユニットがメインボード（１０８）とともに設置され、ケースの外部に電源供給のための連結ポート（１０９）および電源オンオフスイッチ（ＳＷ）が備えられて出入り通路の資源出入り統制を管理するようにした建設現場の資源統制管理システム用端末機（１００）であって、
前記ケース（１１０）は、前面が開放され、前面には引き戸タイプの前方ケース（１２０）が備えられる構造であり、
前記前方ケース（１２０）の前面には、上部に赤外線虹彩認識モジュールまたはカメラモジュールの設置のための第２設置具（１２２）および第２設置具（１２２）に虹彩認識モジュールが設置された時にのみ虹彩ＩＲモジュールが設置される第１設置具（１２１）が形成され、その下部には前記ディスプレイ部の設置のための第３設置具（１２３）が形成され、第３設置具（１２３）の下部には認証およびエラーを表示する表示ランプの設置のための第４設置具（１２４）、ＲＦＩＤ認識モジュールおよびＱＲ／ＢＡＲコード情報認識モジュールの設置のための第５設置具（１２５）、指紋認識のための指紋認識モジュール設置のための第６設置具（１２６）が形成され、
前記ケース（１１０）の下面（１３０）には、音声出力部、電源スイッチおよびそれぞれの連結ポートの設置のための設置部を有することを特徴とする、建設現場の資源統制管理システム用端末機ケース構造。
【請求項２】
前記ケース（１１０）は、
上下面に開放された四角筒状であって、上端部に沿って内向き折り曲げ形成されるフランジを有し、前記ケース（１１０）の下面上に固定ねじ（Ｓ）により装着されるスカート部（１３１）を含むことを特徴とする、請求項１に記載の建設現場の資源統制管理システム用端末機ケース構造。
【請求項３】
前記ケース（１１０）は、
下面が開放され、開放された下部から内側に前記下部板（１３０ａ）を固定するための固定ブラケット（１５０）が付着設置され、下部板（１３０）がケース（１１０）の内側下部から案内されてねじ締結で設置されることを特徴とする、請求項１に記載の建設現場の資源統制管理システム用端末機ケース構造。
【請求項４】
前記前方ケース（１２０）の第１設置具（１２１）および第２設置具（１２２）の上部には案内孔（１２８）が形成され、案内孔（１２８）には第１設置具および第２設置具に設置される赤外線虹彩認識モジュールおよびカメラモジュールの前面に光が入ることを遮断する光遮蔽部材（１４０）が、前方ケース（１２０）の外側に出没可能に設置されたことを特徴とする、請求項１に記載の建設現場の資源統制管理システム用端末機ケース構造。
【発明の詳細な説明】
【技術分野】
【０００１】
本発明は建設現場の資源統制管理システム用端末機ケース構造に関するもので、さらに詳細には建設現場の資源統制管理システム用端末機ケースを改善して、ケースに設置されて出入りを許可記録および確認するためのＬＣＤディスプレイ、虹彩認識モジュール、カメラモジュール、認証エラー表示ランプ、ＲＦＩＤ認識モジュール、ＱＲ／ＢＡＲコード情報認識モジュール、指紋認識モジュールが効率的に配置されて使用されるようにすることはもちろん、各モジュールと電気的に連結される主要連結ポート部分の設置を建設現場の資源統制管理システム用端末機が設置される室内外の事情に合わせて保護設置することによって、電源供給などの連結ポートを安全に管理できるようにした建設現場の資源統制管理システム用端末機ケース構造に関するものである。
【背景技術】
【０００２】
周知の通り、大規模の建設現場では多くの人材が出入りして現場での作業がなされており、殆どが管理者による手動の建設現場の資源統制管理システムによる資源統制管理がなされている。
【０００３】
人はもちろん、現場を訪問する車両、物品を供給する車両、回収する車両などの場合も同様に出勤管理がなされている。
【０００４】
このような管理者による手動でなされる建設現場の資源統制管理は、正確な資源統制情報のデータ構築が難しいため紛失が発生する恐れがある。
【０００５】
また、管理者が収集した資源統制情報を統合する過程で業務が重複するため、処理時間が増加して業務の負担として作用する。これは管理人材の無駄遣いと非効率的な業務が増加する問題を量産することとなる。
【０００６】
現在、このような問題を解決するための方案として、建設現場においても手動の資源統制管理を自動化して管理しようとする傾向にあり、その一例としてＲＦＩＤシステムが適用されている。
【０００７】
前記ＲＦＩＤ（Ｒａｄｉｏ  Ｆｒｅｑｕｅｎｃｙ  Ｉｄｅｎｔｉｆｉｃａｔｉｏｎ）システムは、マイクロチップを内蔵したＲＦＩＤタグに保存されたデータを無線周波数を利用してＲＦＩＤリーダーで自動認識する無線認識技術であって、タグ情報を保存しプロトコルでデータを交換するＲＦＩＤタグと、ＲＦＩＤタグにあるデータを読み込みできるＲＦＩＤリーダー、およびＲＦＩＤリーダーが読み込んだデータを処理する上位アプリケーションシステムで構成される。
【０００８】
このようなＲＦＩＤシステムは、多様な産業現場において物流管理および在庫管理などに適用されて使われている。
【０００９】
ＲＦＩＤシステムを利用した建設現場での出勤管理は、建設現場の労務者（勤労者）にＲＦＩＤの認識カードを提供し、そのＲＦＩＤの認識カードを特定場所に設置されたＲＦＩＤリーダーによってチェックされるようにすることによって、出勤管理の自動化を図っている。
【００１０】
資源統制管理は、不正な人が労務者の認識カードを窃取して不法に現場に出入りしているかの確認と、労務者が共謀して出勤していない労務者の出勤をチェックして登録させる場合と、他の労務者の認識カードを利用して他の労務者が不法に使う場合と、各種資源の搬出入有無の確認など、保安上の出入り規制と正確な資源統制管理がなされるもので、これは事業場ごとの資源統制現況を多様かつ正確に集計、分析することができ、手作業によるエラー防止および報告書作成機能を自動化することができ、計画対比実績分析の正確性に寄与することができ、各種資源の状況を永久保存して実績資料の管理が容易であり、報告時間の短縮などの効率的な建設現場での資源統制管理をすることができる。
【００１１】
その他、生産性管理資料の透明な管理、加工労務費の遮断を通した合理的な給料管理、代理でチェック（ｃｈｅｃｋ）する問題点の解決を通した給料精算紛争の予防、本社と現場間の人的資源の透明性確保などの人材管理の透明性の確保とともに、労務費の節減、通常的に加工投入され得る加工労務比率の節減、安全の基本である日別、月別の人員投入現況の迅速な分析、個人別安全教育の履修現況を管理、状況分析および措置が可能であるため、事故の予防効果を期待できる。
【００１２】
前記のような建設現場の資源統制管理システム用端末機は、出入り者の身上情報を把握できるディスプレイ部（ＬＣＤ画面）、入力情報および設定変更用キーパッド、認識カードスキャン領域部、カメラ部、メインボード、音声出力部などの構成ユニットがケース内に内蔵され、外部に設けられる各連結ポートおよび電源スイッチを構成したもので、出入りカウンターおよび改札口を出入りする前の出入り通路側の壁面あるいは柱に備えられた据置台に設置されて使われている。
【００１３】
前記のような各構成ユニットが内蔵され、外部に表示されるようにした建設現場の資源統制管理システム用端末機は殆ど高価で製作される。
【００１４】
一方、使用中の建設現場の資源統制管理システム用端末機の内部の異常点検、構成ユニットの取り替えのためには、まず据置台側から建設現場の資源統制管理システム用端末機を分離した状態で作業がなされ、これは、建設現場の資源統制管理システム用端末機ケース側の蓋を分離した後、内部の該当構成ユニットを探して点検および取り替えるかこれを分離して修理する方式が殆どであり、作業性が顕著に落ちる。
【００１５】
建設現場の資源統制管理システム用端末機のメインボード側から構成されてそれぞれの外部入力端子を有する連結ポート部分は、外部に露出している方式が殆どであるため、特に雨天時の雨水の流入および過度なホコリの流入による弱点がある。
【発明の概要】
【発明が解決しようとする課題】
【００１６】
本発明は、前記のような従来の問題点を解決するために発明されたものであって、建設現場の資源統制管理システム用端末機のケースに設置されて出入りを許可記録および確認するためのＬＣＤディスプレイ、虹彩認識モジュール、カメラモジュール、認証エラー表示ランプ、ＲＦＩＤ認識モジュール、ＱＲ／ＢＡＲコード情報認識モジュール、指紋モジュールが効率的に配置されて使用されるようにすることはもちろん、各モジュールと電気的に連結される主要連結ポート部分の設置を出勤管理機が設置される室内外の事情に合わせて選択設置することによって、電源供給などの連結ポートを安全に保護管理できるようにした、出勤管理機ケース構造を提供することにその目的がある。
【００１７】
また、本発明のさらに他の目的は、虹彩検索モジュールおよびカメラモジュールの適用設置時の位置に対する互換設置が可能であり、外部から前面光が入ってくるのを防止して正確な虹彩検索および撮影ができるようにした、建設現場の資源統制管理システム用端末機ケース構造を提供することである。
【課題を解決するための手段】
【００１８】
前記目的を達成するための本発明によれば、四角箱状のケースに出入り者の身上情報を把握できるディスプレイ部、ＲＦＩＤ認識モジュール、ＱＲ／ＢＡＲコード情報認識モジュール、虹彩認識モジュール、カメラモジュール、認証およびエラーを表示する表示ランプ、指紋認識モジュール、音声出力部などの構成ユニットがメインボードとともに設置され、ケースの外部に電源供給のための連結ポートおよび電源オンオフスイッチが備えられて出入り通路の各種資源の出入りを統制管理できるようにした建設現場の資源統制管理システム用端末機において、前記ケースは、下部が開放され、前面には引き戸タイプの前方ケースが備えられる構造からなり、前記前方ケースの前面には上部に赤外線虹彩認識モジュールおよびカメラモジュールの設置のための第１設置具および第２設置具が形成され、その下部には前記ディスプレイ部の設置のための第３設置具が形成され、第３設置具の下部には認証およびエラーを表示する表示ランプの設置のための第４設置具、ＲＦＩＤ認識モジュールの設置のための第５設置具、指紋認識のための指紋認識モジュール設置のための第６設置具が形成され、前記ケースの底面には固定ねじ締結のための締結孔を有する固定部が内側に折り曲げ形成され、前記固定部には音声出力部、電源スイッチおよびそれぞれの連結ポート設置のための下部板がねじ締結されたことを特徴とする。
【００１９】
本発明に係る前記下部板の縁から周壁を有するスカート部が延長形成されたことを特徴とする。
【００２０】
本発明に係る前記前方ケースの第１設置具および第２設置具の上部には、案内孔が形成され、案内孔には第１設置具および第２設置具に設置される赤外線虹彩認識モジュールおよびカメラモジュールの前面に光が入ることを遮断する光遮蔽部材が前方ケースの外側に出没可能に設置されたことを特徴とする。
【００２１】
本発明に係る前記ケースは、開放された下部から内側に前記下部板を固定するための固定ブラケットが付着設置されて、下部板がケースの内側下部から案内されてねじ締結固定設置されることを特徴とする。
【発明の効果】
【００２２】
本発明に係る建設現場の資源統制管理システム用端末機ケースは、構成ユニットの点検および取り替え時に後方ケースから前方ケースを回動させて開放するタイプであって、内部に整理された該当構成ユニットが一目で確認でき、また、該当構成ユニットの取替えが容易である管理補修の利点があり、前方ケースに備えられる各構成モジュール側との電気的連結は下部板の連結ポートに連結し、特に室外に設置される出勤管理機は下部板からスカート部を設けるかケースの底部から所定の深さに固定ブラケットを設けて下部板を設置する形態であり、下部板側の連結ポートに設置される各種ケーブルは外部的な要素（雨と雪）に接続部位を保護できる効果を有する。
【図面の簡単な説明】
【００２３】
【図１】本発明の建設現場の資源統制管理システム用端末機を図示した正面図。
【図２】本発明に係る建設現場の資源統制管理システム用端末機のケースを図示した斜視図。
【図３】本発明に係る建設現場の資源統制管理システム用端末機のケースの底面に下部板を結合した状態を例示した斜視図。
【図４】本発明に係る建設現場の資源統制管理システム用端末機のケースを図示した底面図。
【図５】本発明に係る一実施例のケースを図示した斜視図。
【図６】本発明に係る建設現場の資源統制管理システム用端末機のケース内に下部板が結合された他の実施例を示した縦断面図。
【図７】本発明に係る建設現場の資源統制管理システム用端末機の前方ケースに光遮蔽部材を設置した状態を示す斜視図。
【図８】図７に記載の建設現場の資源統制管理システム用端末機を図示した正面図。
【図９】光遮蔽部材の使用状態を例示した図８のＡ−Ａ線断面図。
【発明を実施するための形態】
【００２４】
以下、本発明を添付図面を参照してさらに詳細に説明する。
【００２５】
これに先立って、本明細書および特許請求の範囲で使われた用語や単語は、通常的であるか辞書的な意味に限定されて解釈されてはならず、発明者は自分の発明を最も最善の方法で説明するために用語の概念を適切に定義できるという原則に則って本発明の技術的思想に符合する意味と概念で解釈されるべきである。
【００２６】
したがって、本明細書に記載された実施例と図面に図示された構成は、本発明の最も好ましい一実施例に過ぎず、本発明の技術的思想をすべて代弁するものではないため、本発明の出願時点においてこれらを代替できる多様な均等物と変形例があり得ることを理解しなければならない。
【００２７】
本発明の建設現場の資源統制管理システム用端末機ケースを図１〜図５を参照して説明する。
【００２８】
図１〜図４に示すように、四角箱状のケース１１０に、出入り者の身上情報を把握できるディスプレイ部１０１、ＲＦＩＤ認識モジュール１０２、ＱＲ／ＢＡＲコード情報認識モジュール１０２−１、虹彩認識モジュール１０３、カメラモジュール１０４、認証およびエラーを表示する表示ランプ１０５、指紋認識モジュール１０６、音声出力部１０７などの構成ユニットがメインボード１０８とともに設置され、ケースの外部に電源供給のための連結ポート１０９および電源オンオフスイッチ（ＳＷ）が備えられて出入り通路の出勤を管理するようにした公知の建設現場の資源統制管理システム用端末機１００において、前記ケース１１０は、正面が開放され、開放された前面には引き戸タイプの前方ケース１２０が備えられる構造である。
【００２９】
前記前方ケース１２０の前面には、上部に赤外線虹彩認識モジュール１０３またはカメラモジュール１０４の設置のための第２設置具１２２および第２設置具１２２に虹彩認識モジュール１０３が設置された時にのみ虹彩ＩＲモジュール１０３ａが設置される第１設置具１２１が形成され、その下部には前記ディスプレイ部の設置のための第３設置具１２３が形成され、第３設置具１２３の下部には認証およびエラーを表示する表示ランプの設置のための第４設置具１２４、ＲＦＩＤ認識モジュール１０２およびＱＲ／ＢＡＲコード情報認識モジュール１０２−１の設置のための第５設置具１２５、指紋認識のための指紋認識モジュールの設置のための第６設置具１２６が形成される。
【００３０】
前記ケース１１０の下面には、音声出力部、電源スイッチおよびそれぞれの連結ポート設置のための設置部を有し、各設置部には音声出力部、電源スイッチおよびそれぞれ連結ポートなどが該当設置部に設置されている、
【００３１】
前記連結ポート１０９は、電源アダプタージャック、スピーカー出力端子、メインボード連結ポート、ランケーブル連結ポート、ＵＳＢポートなどが挙げられる。参考として、前記前方ケース１２０は、ディスプレイ部１０１、ＲＦＩＤ認識モジュール１０２、ＱＲ／ＢＡＲコード情報認識モジュール１０２−１、虹彩認識モジュール１０３、カメラモジュール１０４、認証およびエラーを表示する表示ランプ１０５、指紋認識モジュール１０６を設置できるように厚さを有する箱状であって、後面が開放され、一側には前記ケース側と蝶番で連結設置され、蝶番が設置された反対側にはケース側とのロックのためのロック係止部が形成され、ケースにはロック係止部に係止して管理人以外には開けることができないようにロック装置が備えられて結束およびロックがなされるようにして、出勤管理機の主要内部構成モジュールの盗難を防止できるようにする。
【００３２】
一方、本発明による一実施例として、図３〜図５に図示した通り、前記ケース１１０の下面１３０上には上下面に開放された四角筒状であって、上端部に沿って内向き折り曲げ形成されるフランジを有するスカート部１３１が固定ねじ（Ｓ）によって装着される。前記スカート部１３１の適用は、建設現場の資源統制管理システム用端末機１００を室内ではない室外に設置されるタイプで設置されるようにしたものである。
【００３３】
前記スカート部１３１は概略５０〜１００ｍｍの高さであり、下部で各種ケーブルのアダプタージャックを連結したり電源スイッチの操作に不都合な点がない程度の長さを有する。
【００３４】
一方、本発明に係るさらに他の実施例として、図６に図示した通り、前記ケース１１０は下面が開放され、開放された下部から内側に前記下部板１３０を固定するための固定ブラケット１５０が付着設置されて下部板１３０ａがケース１１０の内側下部から案内されてねじ締結で設置される構造であっても、建設現場の資源統制管理システム用端末機を室外に設置するものに構成することができる。
【００３５】
一方、図７〜図９に示すように、本発明に係る建設現場の資源統制管理システム用端末機において、前記前方ケース１２０の第１設置具１２１および第２設置具１２２の上部には案内孔１２８が形成され、案内孔１２８には第１設置具および第２設置具に設置される赤外線虹彩認識モジュールおよびカメラモジュールの前面に光が入ることを遮断する光遮蔽部材１４０が前方ケース１２０の外側に出没可能に設置されて使用されるようにする。
【００３６】
前記光遮蔽部材１４０は、後方にガイド孔１４１ａが形成された平面部１４１および平面部の両側に垂直に下向き折り曲げられる側面部１４２が形成され、平面部の前面には把持部１４３が折り曲げ形成される。
【００３７】
前記光遮蔽部材１４０のガイド孔１４１ａは、前方ケース１２０の上部内側面に設けられるガイド凸部１２０ａに案内され、光遮蔽部材１４０の側面部１４１の下端は前記案内孔１２８から内側に折り曲げ形成された受け取り部１２９に支えられる形態で前後移動可能に設置される。
【００３８】
前記案内孔１２８の形態は、平面部１４１と側面部１４２の形状と同一に形成され、前記光遮蔽部材１４０の把持部１４３を除いた平面部１４１と側面部１４２は案内孔１２８に出没可能に設置される。
【００３９】
このように構成された本発明の建設現場の資源統制管理システム用端末機１００のケースは、無人で出入り統制がなされる地下駐車場のような室内ゲートに設置されるかあるいは室外出入り統制機が設置された地域に設置されて、作業者あるいは訪問車両の出勤管理がなされる。
【００４０】
前記前方ケース１２０の第１設置具１２１および第２設置具１２２に設置された虹彩認識モジュール１０３、カメラモジュール１０４は、出入り訪問者の撮影および虹彩を認識できるようにして出入り承認の可否がなされ、前方ケース１２０の第３設置具１２３に設置されるディスプレイ部１０１は出入り者に対する該当情報を出力し、第４設置具１２４に設置された表示ランプは出入り者の認証、許認可の承諾可否をランプの点滅表示で表示し、第５設置具１２５に設置されたＲＦＩＤ認識モジュールおよび第６設置具１２６に設置された指紋認識モジュールを通じて出入り者が所持した出入り認識カードをタッチするかまたは出入り者の指紋情報認識を通じて出入りが許可されるか統制されるようにする。
【００４１】
前記ＱＲ／ＢＡＲコード情報認識モジュールはスマートフォン上に搭載されたＱＲコード（登録商標）またはＢＡＲコードを認識することによって、出入り者の身上情報に対する出入りの可否が許可され得、これは出入り者の認証手続きを踏む用途にも活用できる。
【００４２】
本発明に係るケース１１０の下部板１３０は、添付されたケースの下部に折り曲げ形成された固定部１２７側の締結孔１２７ａに下部板１３０を一致させて固定ねじ（Ｓ）で締結することによってなされ、このようなタイプの出勤管理機は地下駐車場や統制区域などの出入り統制機が設置されたゲートに設置されて運営されるものであって、図４でのように、前記下部板１３０に備えられた連結ポートで各種電源供給ケーブルおよび該当接続ケーブルが連結設置されて使われる。
【００４３】
一方、図３および図５に示すように、前記ケース１１０の下面にスカート部１３１が装着された形態であるか、または図７に図示した通り、ケース１１０の内側に固定ブラケット１５０を設けて、ここに下部板１３０ａが固定設置されるようにすることによって、ケース１１０の底部から所定深さに下面１３０または下部板１３０ａが位置するようにすることによって、外部から前記下面１３０または下部板１３０ａ側に備えられた連結ポートに差し込まれる各種電源ケーブルのアダプター、ジャックなどを保護することができる。
【００４４】
図３および図６に示すように、スカート部１３１の固定設置は、雨天時の雨水の流入を遮断することができるので、室外に無人出入り統制の出勤管理機１００として運営するのに非常に適合であるといえる。
【００４５】
合わせて、前記のように、出入り統制に対する案内は音声出力部１０７を通じてなされ、音声は前記スカート部１３１の下部側で最終発声されて声が伝達されるので、音声の正確な伝達表現がなされるようにすることができる。
【００４６】
図７〜図９に示すように、前方ケース１２０に備えられた案内孔１２８から光遮蔽部材１４０を前方に進出させて前記虹彩認識モジュール、カメラモジュールが設置された第１設置具と第２設置具の正面または周辺から入ってくる光を遮蔽する役割をすることによって、はっきりした視野の撮影および正確な虹彩認識を助けることができ、光遮蔽部材の未使用時には把持部を後方側に押すと、把持部を除いた平面部と側面部は案内孔に沿って前方ケースの内側に収容されるようにして使うことができる。
【００４７】
本発明の建設現場の資源統制管理システム用端末機において、前記カメラモジュールの設置を省略する代わりに虹彩認識モジュールをさらに設置して両側の虹彩モジュールを認識する用途にも使用可能である。
【００４８】
以上のように、本発明は具体的な構成要素などのような特定の事項と限定された実施例および図面によって説明されたが、これは本発明のより全般的な理解を助けるために提供されたものに過ぎず、本発明は前記の実施例に限定されるものではなく、本発明が属する分野で通常の知識を有した者であれば、このような記載から多様な修正および変形が可能である。
【００４９】
したがって、本発明の思想は説明された実施例に限定されて定まってはならず、後述する特許請求の範囲だけでなくこの特許請求の範囲と均等であるか等価的変形のあるすべてのものは本発明思想の範疇に属すると言える。
【符号の説明】
【００５０】
１００：建設現場の資源統制管理システム用端末機
１１０：ケース
１２０：前方ケース
１２１：第１設置具
１２２：第２設置具
１２３：第３設置具
１２４：第４設置具
１２５：第５設置具
１２６：第６設置具
１３０：下面
１３０ａ：下部板
１３１：スカート部
１４０：光遮蔽部材
１５０：固定ブラケット
Ｓ：固定ねじ
【図１】
2019036276.tif 000003
【図２】
2019036276.tif 000004
【図３】
2019036276.tif 000005
【図４】
2019036276.tif 000006
【図５】
2019036276.tif 000007
【図６】
2019036276.tif 000008
【図７】
2019036276.tif 000009
【図８】
2019036276.tif 000010
【図９】
2019036276.tif 000011